(57)【特許請求の範囲】
【請求項１】
上面より上方付勢状態で押し下げ可能にステム６を突設するとともに、該ステムの押し下げにより内蔵吐出弁が開き、ガス圧で液をステムより噴出する如く構成したエアゾール容器体２と、ステム６に下端の導入口９を嵌合させて押し下げ可能に装着するとともに、側方へ液噴出用のノズル10を突設した噴出ヘッド３とを備えてなる液体噴出器であって、筒壁15上端より縦設してなる切欠凹部16に押し下げ可能にノズル10を突出するとともに、下部を容器体２上部外周に嵌合させて噴出ヘッド周囲に立設した筒部材４を設け、押し下げ状態の噴出ヘッド３を回動してそのノズル10を挿入係止可能な係止溝18を、筒部材４の切欠凹部16側方に連設し、係止溝18内へのノズル10の侵入を防止する侵入防止片19を切取可能に設けてなることを特徴とする液体噴出器。
【請求項２】
上記侵入防止片19が、係止溝18に破断部20を介して一体に縁部を連結するとともに、指掛部21を延設してなる侵入防止片19である請求項１記載の液体噴出器。
【請求項３】
上記ノズル10下面が当接して噴出ヘッド３の押し下げを防止する係止段部22を、切欠凹部16側方に連設してなる請求項１記載の液体噴出器。
【発明の詳細な説明】
【０００１】
【発明の属する技術分野】
本発明は液体噴出器に関する。
【０００２】
【従来の技術】
液体噴出器として種々の形態のものが知られているが、例えば、上面より上方付勢状態で押し下げ可能にステムを突出し、ステムの押し下げにより内蔵吐出弁が開弁してガス圧により収納液を噴出する如く構成したエアゾール容器体２に、筒状の噴出ヘッドやノズル状の噴出ヘッド等を嵌着したものが一般的に使用されている。
【０００３】
前者の例として例えば、下端の導入口をステムに嵌着した縦筒を頂壁裏面より垂設し、縦筒上端に基端を連通したノズルを、頂壁周縁部から垂設した周壁を貫通して横設し、その先端を噴出口として開口したものが挙げられ、また、後者の例として、容器体２胴部外周上端に嵌着させた装着筒にヒンジ部を介して上下揺動可能に押下板を連結するとともに、ステムに下端を密嵌した注出筒の上端を押下板より突設したものが挙げられる。
【０００４】
従来のこの種の液体噴出器は、収納液を使い切った後にもガスが容器体２内に残存しているため、そのまま廃棄すると種々の不都合を引き起こす虞があり、そのため、例えば容器体２胴部を釘等により穿孔してガス抜きを行った後廃棄している。また、噴出ヘッド等を被覆して容器体２に装着するオーバーキャップを備えたものにあっては、そのキャップ上面に特殊構成のガス抜き用突起を形成し、該キャップを使用して廃棄時にガス抜きを行うことも行われている。
【０００５】
【発明が解決しようとする課題】
釘等によるガス抜きは道具を用意しなければならないため面倒であり、穿孔も行い難い。また、後者は特殊構成のオーバーキャップを必要とするため、製造コストもかかり、また、オーバーキャップを必ず設けなければならないという不都合もある。
【０００６】
本発明は、上記した点に鑑みなされたもので、収納液を使い切った後に容器体２内に残存するガスを極めて簡単な操作で排出することができ、ガスの残存による種々の不都合の虞がなく廃棄でき、また、製造も簡単で安価に且つ容易に製造できる液体噴出器を提案するものである。
【０００７】
【課題を解決するための手段】
第１の手段として、以下の通り構成した。即ち、上面より上方付勢状態で押し下げ可能にステム６を突設するとともに、該ステムの押し下げにより内蔵吐出弁が開き、ガス圧で液をステムより噴出する如く構成したエアゾール容器体２と、ステム６に下端の導入口９を嵌合させて押し下げ可能に装着するとともに、側方へ液噴出用のノズル10を突設した噴出ヘッド３とを備えてなる液体噴出器であって、筒壁15上端より縦設してなる切欠凹部16に押し下げ可能にノズル10を突出するとともに、下部を容器体２上部外周に嵌合させて噴出ヘッド周囲に立設した筒部材４を設け、押し下げ状態の噴出ヘッド３を回動してそのノズル10を挿入係止可能な係止溝18を、筒部材４の切欠凹部16側方に連設した。
【０００８】
第２の手段として、以下の通り構成した。即ち、前記第１の手段において、上記係止溝18内へのノズル10の侵入を防止する侵入防止片19を切取可能に設けた。
【０００９】
第３の手段として、以下の通り構成した。即ち、前記第２の手段において、上記侵入防止片19が、係止溝18に破断部20を介して一体に縁部を連結するとともに、指掛部21を延設してなる侵入防止片19である如く構成した。
【００１０】
第４の手段として、以下の通り構成した。即ち、前記第１の手段において、上記ノズル10下面が当接して噴出ヘッド３の押し下げを防止する係止段部22を、切欠凹部16側方に連設した。
【００１１】
【発明の実施の形態】
以下、本発明の実施の形態を図面を参照して説明する。
【００１２】
図面にある如く本発明の液体噴出器１は、エアゾール容器体２と、噴出ヘッド３と、筒部材４とを備えている。
【００１３】
エアゾール容器体２は、図２にある如く、胴部５の上面より上方付勢状態で押し込み可能にステム６を突出し、該ステムの押し込みにより内蔵吐出弁（図示せず）が開弁してガス圧により容器体２内の収納液をステム６より噴出する如く構成した公知の噴出機構を備えたものが使用でき、一般的なこの種の容器体２を使用できる。図示例では、筒状の胴部５上端をテーパ状に縮径し、その上端縁部にカシメ部分である環状突条７を立設し、該突条外周下部に下向き段部８を周設している。
【００１４】
噴出ヘッド３は合成樹脂等により形成され、ステム６に嵌着してその押し下げ及び液の噴出を行うためのもので、ステム６に下端の導入口９を嵌合させて押し下げ可能に装着するとともに、側方へ液噴出用のノズル10を突設したものである。図示例では、ステム６に下端の導入口９を密嵌させた縦筒11を頂壁12裏面中央部より垂設するとともに、縦筒11上部に基端を開口したノズル10を前方へ延設し、その先端に噴出口13を開口し、この縦筒11とノズル10内を液流路に構成している。また、頂壁12周縁部より下方へ周壁14を垂設している。
【００１５】
筒部材４も合成樹脂等により形成されたもので、筒壁15上端より縦設してなる切欠凹部16に押し下げ可能にノズル10を突出するとともに、下部を容器体２上部外周に嵌合させて噴出ヘッド３周囲に立設している。図示例では、エアゾール容器体２の環状突条７内周に下部を嵌合させた内筒部15a と、環状突条７外周に下部を嵌合させた外筒部15b とを上端の頂板部15c で連結した二重筒状をなしており、前部に切欠凹部16を縦設している。尚、外筒部15b 内周下端部に突設した係合突条17を下向き段部８と係合させて抜け出しの防止を図っている。
【００１６】
また、本発明に於ける筒部材４は、係止溝18を備えている。係止溝18は、収納液を使い切った後に残存するガスを抜くために設けたものであり、押し下げ状態の噴出ヘッド３を回動してそのノズル10を挿入係止可能に構成したものであればその形態は種々採用できる。即ち、押し下げて液が噴出可能な状態の噴出ヘッドを切欠凹部16の位置から回動させて挿入係止させ、エアゾール容器体２の内蔵吐出弁の開弁状態を維持するものである。図１では、切欠凹部16の下部より向かって右方に矩形状の係止溝18を設けているが、後述する侵入防止片により塞がれている。
【００１７】
また、本発明では、図１に示す如く、係止溝18内へのノズル10の侵入を防止する侵入防止片19を切り取り可能に設けても良い。該防止片は、係止溝18にミシン目や薄肉線等の容易に破断が可能な破断部20を介して一体に縁部を連結し、また、指掛部21を一体に延設している。破断部20は縁部の一部或いは全部に設けることができる。また指掛部21は開口縁より外方へ延設しているが、これに限らず、内方、周方向に延設しても良い。そして、必要に応じて指掛部21を掴んで各破断部20を破断して除去し、ノズル10の挿入係止が可能となる如く構成している。この様な侵入防止片は、切取が可能で、且つ、係止溝18内へのノズル10の侵入を防止することができれば、種々の形態を採用することができ、例えば図示しないで説明すると係止溝18の開口部上下を結んで一体に形成された破断が可能な棒状連結片であっても良い。また、この侵入防止片は必ずしも設けなくても良い。
【００１８】
本発明に於ける筒部材４は、不使用時に不用意な液の漏出を防止する目的で係止段部22を設けても良い。係止段部22は、切欠凹部16側方に連設したもので、噴出ヘッド３を回動した際にノズル10下面が当接して噴出ヘッド３の押し下げを防止できるものであればその形態は種々採用できる。更に具体的には、最上昇位置の噴出ヘッド３のノズル10を切欠凹部16の位置から回動させることができ、噴出ヘッド３を押し下げようとした際にその下面が当接して液の噴出を防止することができるものであれば良い。図示例では、切欠凹部16の上端部より向かって左方にノズル10の横幅と略同じ横幅を有する係止段部22を延設している。尚、この係止段部22は必ずしも設けなくても良いが、上記係止溝18とこの係止段部22を両方設ける場合には図示例の如き切欠凹部16から別方向にそれぞれ設けたものに限らず、同一方向に設けることも可能である。また、図中23は指挿入用凹部を示し、噴出ヘッド３の押し下げをより容易に行える如く構成している。
【００１９】
上記の如く構成した噴出器１は、非使用時には図３に示す如く係止段部22にノズル10下面が当接係止されているため、噴出ヘッド３を押し下げようとしても下がらず、収納液の噴出はできない。一方、使用時にはこの状態から図１に示す如くノズル10を切欠凹部16内に回動させると噴出ヘッド３の押し下げが可能となり、液の噴出が可能となる。使用後は再びノズル10を回動させて図３の状態に戻しておく。更に、液を使い切った際には、指掛部21をもち侵入防止片19を切断除去して係止溝18を開口し、噴出ヘッド３を押し下げた状態でそのノズル10を係止溝18に挿入係止させれば、残存するガスを排出することができる。
【００２０】
【発明の効果】
以上説明した如く本発明の液体噴出器は、既述構成としたことにより、収納液を使い切った際には、噴出ヘッド３を押し下げた状態で回動させてそのノズル10を係止溝18内に挿入係止するというきわめて簡単な操作により残存するガスを完全に排出することができ、ガスの残存による種々の不都合の虞がなく廃棄できるものである。しかも、構造が簡単な筒部材を装着するだけでこの様な効果を発揮でき、既成の噴出器をそのまま使用できるため、製造も容易で安価に製造できる利点もある。
【００２１】
また、係止溝18内へのノズル10の侵入を防止する侵入防止片19を切取可能に設けたものにあっては、使用中にノズル10が係止溝18に引っ掛かるなどの不都合がなく、より円滑な液噴出操作を行えるものである。
【００２２】
また、係止溝18に破断部20を介して一体に縁部を連結し、指掛部21を延設してなる侵入防止片19を設けたものにあっては、同様により円滑な液噴出操作を行えるとともに、液を使い切った後の侵入防止片19の切取除去が極めて簡単に行えるものである。
【００２３】
また、ノズル10下面が当接して噴出ヘッド３の押し下げを防止する係止段部22を、切欠凹部16側方に連設したものにあっては、非使用時には噴出ヘッド３の押し下げを防止して液の漏出の不都合を防止でき、使用時には噴出ヘッド３を回動させるという極めて簡単な操作により液の噴出が可能となる利点を兼ね備えている。
【図面の簡単な説明】
【図１】本発明の一実施形態を示す斜視図である。
【図２】同実施形態の要部切欠斜視図である。
【図３】同実施形態のロック状態の斜視図である。
【図４】同実施形態のガス抜き状態の斜視図である。
【符号の説明】
２…エアゾール容器体，３…噴出ヘッド，４…筒部材，６…ステム，
９…導入口，10…ノズル，15…筒壁，16…切欠凹部，18…係止溝，
19…侵入防止片，20…破断部，21…指掛け部，22…係止段部
【図１】
0004141659.tif 000002
【図２】
0004141659.tif 000003
【図３】
0004141659.tif 000004
【図４】
0004141659.tif 000005